(57)【特許請求の範囲】
【請求項１】
支柱を抱き込むように嵌合し、棚部材を支持するカップリング部材であって、
略半割状のスリーブ本体部と、
該スリーブ本体部の左右両側の端から該支柱の軸芯に対し略直交する方向で互いに反対方向に突出する連結部と、
該連結部の先端から外側に屈曲して形成される左鍔部と右鍔部とを有し、該一対の左鍔部及び該一対の右鍔部の双方の中、一方の側の一対の鍔部の基端側でヒンジ接合した一体物であるカップリング本体部材と、
該カップリング本体部材の該支柱への嵌合状態を維持する固定部材とからなり、
該一対の左鍔部又は一対の右鍔部のいずれか一方、あるいは該固定部材が、該棚部材の係合部と係合することを特徴とするカップリング部材。
【請求項２】
該固定部材が、該一対の左鍔部又は一対の右鍔部のいずれか一方に被せられるキャップ部材であることを特徴とする請求項１記載のカップリング部材。
【請求項３】
接合側と反対側の一対の鍔部に該キャップ部材が被せられることを特徴とする請求項２記載のカップリング部材。
【請求項４】
該４つの鍔部の該スリーブ本体部と対向する面が、下方に向かうに従って該スリーブ本体部との距離が漸次縮小するテーパ面であることを特徴とする請求項１〜３のいずれか１項に記載のカップリング部材。
【請求項５】
該キャップ部材装着後のキャップ部材の該スリーブ本体部と対向する面が、下方に向かうに従って該スリーブ本体部との距離が漸次縮小するテーパ面であることを特徴とする請求項２〜４のいずれか１項に記載のカップリング部材。
【請求項６】
該スリーブ本体部の該支柱に当接する側の面に、該支柱に係止する係止溝又は係止孔あるいは係止突条又は係止突起を備えることを特徴とする請求項１〜５のいずれか１項に記載のカップリング部材。
【請求項７】
金属、樹脂又はこれらの複合材を使用して作製されたものであることを特徴とする請求項１〜６のいずれか１項に記載のカップリング部材。
【請求項８】
請求項１〜７のカップリング部材を備えることを特徴とする組立棚。
【請求項９】
請求項１〜７のカップリング部材と、
長手方向に規則又は不規則の間隔で係止突起又は係止突条あるいは係止溝又は係止孔を形成した支柱と、
該カップリング部材の一対の鍔部又は該固定部材に嵌合する係合部が形成された棚部材と、
を備えるものであり、該支柱に該カップリング部材を正面視で該連結部が略左右方向に延びるように嵌め込み、更に該カップリング部材の一対の鍔部又は固定部材に該係合部を嵌め込んで該棚部材を設置してなり、該棚部材は正面視で該２つの支柱の内側間に配置されることを特徴とする組立棚。
【請求項１０】
該係止溝は、環状又は部分環状であることを特徴とする請求項９記載の組立棚。
【発明の詳細な説明】
【技術分野】
【０００１】
本発明は、事務所、家庭、倉庫、店舗、厨房等で使用する収納棚、あるいは店舗で使用する陳列棚として使用されるものであり、組み付けと解体が容易な組立棚及びそれに使用するカップリング部材に関するものである。
【背景技術】
【０００２】
登録実用新案公報第３０５７９９０号には、長手方向に所定の間隔で複数の環状の係止溝が外周面に形成された支柱と、内周面に形成された突条を前記支柱の係止溝に係止して支柱の外周面に取り付けられ、外形が下方に向かうに従って漸次拡径した形状に形成されたテ−パスリ−ブと、該テ−パスリ−ブの外面形状の一部又は全部に略一致するように下方に向かうに従って漸次拡径した内面形状に形成されるとともに、前記支柱の外周面に取り付けられたテ−パスリ−ブの外周面に差し込まれるリングが四隅に固着された棚部とからなる棚部の係止構造であって、前記棚部の左右のリングは棚部に対して左右異なる高さに固着され、前記テ−パスリ−ブの外周面に上下互い違いに差し込まれるように配置され、左右の棚部が同一の支柱を共用して段差なく連結されるようにした棚部の係止構造が開示されている。
これら従来の組立棚は、例えば２つの棚部材を長手方向に連結する場合、１の支柱を共有できるため、見栄えがよく、また組み付けも容易である。
【先行技術文献】
【特許文献】
【０００３】
【特許文献１】登録実用新案公報第３０５７９９０号
【発明の概要】
【発明が解決しようとする課題】
【０００４】
しかしながら、これら従来の組立棚は、上下複数段を有する組立棚における中間棚部材の位置を変更したい場合（以下、「中抜き操作」とも言う。）、その中間棚部材より上方にある棚部材を必ず取り除く必要があった。このため、組み付けは簡単ではあるが、中抜き操作は不便であり、実質的に中抜きが行なわれないものであった。また、特に、中抜き操作も中間棚部材を傾斜させることなく、上方移動と水平移動で行なうことができる棚構造のものが望まれていた。
【０００５】
従って、本発明の目的は、組み付けが容易であり、また上下複数段を有する組立棚における中間棚部材の位置変更を、他の棚部材はそのままで、当該中間棚部材を傾けることなく上方移動と水平移動で行なうことができる組付棚及びこれに用いるカップリング部材を提供することにある。
【課題を解決するための手段】
【０００６】
すなわち、本発明は、上記従来の課題を解決したものであって、支柱を抱き込むように嵌合し、棚部材を支持するカップリング部材であって、略半割状のスリーブ本体部と、該スリーブ本体部の左右両側の端から該支柱の軸芯に対し略直交する方向で互いに反対方向に突出する連結部と、該連結部の先端から外側に屈曲して形成される左鍔部と右鍔部とを有し、該一対の左鍔部及び該一対の右鍔部の双方の中、一方の側の一対の鍔部の基端側でヒンジ接合した一体物であるカップリング本体部材と、該カップリング本体部材の該支柱への嵌合状態を維持する固定部材とからなり、該一対の左鍔部又は一対の右鍔部のいずれか一方、あるいは該固定部材が、該棚部材の係合部と係合することを特徴とするカップリング部材を提供するものである。
【０００７】
また、本発明は、前記カップリング部材を備えることを特徴とする組立棚を提供するものである。
【発明の効果】
【０００８】
本発明の組立棚によれば、組み付けが容易であり、また上下複数段を有する組立棚における中間棚部材の位置変更を、他の棚部材はそのままで、当該中間棚部材を傾けることなく上方移動と水平移動で行なうことができる。
【図面の簡単な説明】
【０００９】
【図１】本実施の形態例におけるカップリング部材の分解斜視図である。
【図２】図１で使用するカップリング本体部材を支柱に嵌める方法を説明する図である。
【図３】支柱に嵌合したカップリング本体部材にキャップ部材を嵌める方法を説明する図である。
【図４】図３の側面図である。
【図５】支柱に嵌合したカップリング部材の斜視図である。
【図６】カップリング部材に棚部材を設置する方法を説明する図である。
【図７】キャップ部材の開口側から見た図である。
【図８】図７のＸ−Ｘ線に沿って見た図である。
【図９】図３の平面図である。
【図１０】図５の平面図である。
【図１１】棚部材の係合部の斜視図である。
【図１２】（Ａ）図１１のＺ方向から見た図、（Ｂ）は（Ａ）のＹ−Ｙ線に沿って見た図である。
【図１３】本例のカップリング部材に２枚の棚部材が係合する正面図である。
【図１４】本例の組立棚における中間棚部材の取付操作を説明する図である。
【図１５】本例の組立棚における中間棚部材の取付操作を説明する他の図である。
【図１６】組立棚の変形例を示す斜視図である。
【図１７】組立棚の変形例を示す他の斜視図である。
【図１８】他の実施の形態におけるカップリング部材の斜視図である。
【図１９】本例の組立棚の一部の正面図である。
【図２０】１本支柱の組立棚の組立前の状態を示す斜視図である。
【図２１】１本支柱の組立棚の斜視図である。
【図２２】他の実施の形態例におけるカップリング部材の斜視図である。
【図２３】図２２のカップリング部材の他の斜視図である。
【図２４】図２２のカップリング部材において扉部材が開いた状態の斜視図である。
【図２５】図２４のカップリング部材の他の斜視図である。
【発明を実施するための形態】
【００１０】
次に、本発明の実施の形態におけるカップリング部材およびこれを備える組立棚を図１〜図１４及び図１６を参照して説明する。図９の二点鎖線は支柱２の外径を示す。図１０は、図５の平面図であるが、棚部材との関係を明確にするため、棚部材を示した（２点鎖線）。なお、本明細書中、正面は図１４中、符号Ｆから見た位置であり、左方向は図４中、符号Ｌで示す矢印の方向を言い、右方向は図４中、符号Ｒで示す矢印の方向を言う。
【００１１】
本例のカップリング部材１は、支柱２を抱き込むように嵌合し、棚部材３１を支持するものであって、両側から支柱２を抱き込むように設置されるカップリング本体部材１１１ａ、１１１ｂの一対１ａと、一対の鍔部に嵌合するキャップ部材１９ａとからなる。なお、本例の一対のカップリング本体部材１ａは、一対の左鍔部１５ａ、１５ｂの基端側でヒンジ接合し、接合部１６を有する一体物であって、接合側と反対側の一対の右鍔部１４ａ、１４ｂにキャップ部材１９ａが嵌合される。ヒンジ結合位置は、図１のものに限定されず、一対の右鍔部１４ａ、１４ｂの基端側でヒンジ接合する一体物であって、接合側と反対側の一対の左鍔部１５ａ、１５ｂにキャップが嵌合されるものであってもよい。
【００１２】
カップリング本体部材１１１ａは、支柱２の外周面の約半分の側面に当接するように設置される略半割状のスリーブ本体部１１ａと、スリーブ本体部１１ａの左右両側の端から支柱２の軸芯が延びる方向に対し略直交する方向で互いに反対方向に突出する板状の連結部１２ａ、１３ａと、連結部１２ａ、１３ａの先端から外側に屈曲して形成される板状の右鍔部１４ａと左鍔部１５ａとを有する。また、もう一方のカップリング本体部材１１１ｂは、同様に支柱２の外周面の約半分の側面に当接するように設置される略半割状のスリーブ本体部１１ｂと、スリーブ本体部１１ｂの左右両側の端から支柱２の軸芯が延びる方向に対し略直交する方向で互いに反対方向に突出する板状の連結部１２ｂ、１３ｂと、連結部１２ｂ、１３ｂの先端から外側に屈曲して形成される板状の右鍔部１４ｂと左鍔部１５ｂとを有する。
【００１３】
略半割状のスリーブ本体部１１ａは、内周面が支柱２の外周面の形状と対応する形状を有するもので、全体形状は所定の長さ（高さ）を有する略半円筒である。もう一方の略半割状のスリーブ本体部１１ｂも同様である。支柱２が円形断面以外のものであれば、略半割状のスリーブ本体部１１ａ、１１ｂの内周面の形状も、支柱２の外周面の形状に応じた形状にすればよい。略半割状とは、半割状と半割状ではない半割に近い形状のものを言う。半割に近い形状とは、図９に示すように、当接する面が半円周よりやや小となるものである。半割に近い形状であってもカップリング部材は支柱２に強固に嵌合することができる。
【００１４】
また、略半割状のスリーブ本体部１１ａ（１１ｂ）の内周面には、支柱２に係止する突条１７ａ（１７ｂ）又は突起を備える。突条１７ａ（１７ｂ）は、支柱２の環状又は部分環状の係止溝２２に係止するものであり、内周面の幅方向の一部又は全部に形成される環状の突条である。突条１７ａ（１７ｂ）と係止溝２２が係止することで、上下方向の移動を規制することができる。また、突起の場合、支柱２の係止孔に係合することになる（不図示）。係止孔は有底の非貫通孔である。
【００１５】
連結部１２ａ、１３ａ（１２ｂ、１３ｂ）は、所定の高さと所定の突出長さを有する板状でありスリーブ本体部１１ａ（１１ｂ）と鍔部間に棚部材３１の係合部３が嵌り込むスペースを確保すると共に、棚部材３１の係合部３を鍔部（又はキャップ部材１９ａ）と共に支持する機能を付与する。連結部１３ａ、１３ｂは、スリーブ本体部１１ａ（１１ｂ）より高さが低く、且つ左鍔部１５ａ、１５ｂよりやや低い板状物である。すなわち、連結部１３ａ、１３ｂの上面は、左鍔部１５ａ、１５ｂの上面より一段下がり、段差１２１を形成している。キャップ部材１９ａが右鍔部１４ａ、１４ｂに嵌合した場合、連結部１２ａ、１２ｂの上面は、同様に、キャップ部材１９ａの天面より一段さがる。これにより、棚部材３１の係合部３の嵌合が安定する。
【００１６】
鍔部１４ａ、１４ｂ、１５ａ、１５ｂは、前後方向に延びる鍔が上下方向に所定の高さを有する略板状であり、連結部と協働により棚部材３１の係合部３を支持するものである。すなわち、カップリング本体部材１ａが支柱２に嵌合した状態において、左鍔部１５ａ、１５ｂは連結部１３ａ、１３ｂよりやや高さが高く両者で略Ｔ字断面形状を形成し、右鍔部１４ａ、１４ｂは連結部１２ａ、１２ｂと高さが同じで両者で略Ｔ字形状を形成する。キャップ部材１９ａが被される右鍔部１４ａ、１４ｂは、キャップ部材１９ａが被らない左鍔部１５ａ、１５ｂより高さ及び幅寸法が小さい。これにより、右鍔部１４ａ、１４ｂにキャップ部材１９ａが被された後は、左鍔部１５ａ、１５ｂ及び連結部１３ａ、１３ｂで形成される略Ｔ字断面形状と、キャップ部材１９ａ及び連結部１２ａ、１２ｂで形成される略Ｔ字断面形状とは、ほとんど同じ形状となる。これにより、棚部材１の雌係合部３の形状を変えることなく、右棚部材の係合部と左棚部材の係合部を同じものとすることができる。
【００１７】
一対の左鍔部１５ａ、１５ｂのスリーブ本体部１１ａ（１１ｂ）と対向する面１５１ａ、１５１ｂは、下方に向かうに従ってスリーブ本体部１１ａ（１１ｂ）との距離が漸次縮小するテーパ面である。これにより、棚部材の係合部３にこのテーパ面と対応するテーパ面を形成し、嵌合すれば、両者の嵌合が強固なものとなると共に、カップリング部材１の支柱２への締め付け力が増す。一対の右鍔部１４ａ、１４ｂのスリーブ本体部１１ａ（１１ｂ）と対向する面１４１ａ、１４１ｂは、下方に向かうに従ってスリーブ本体部１１ａ（１１ｂ）との距離が漸次縮小するテーパ面である。これにより、キャップ部材１９ａにこのテーパ面と対応するテーパ面を形成し、嵌合すれば、一対の右鍔部１４ａ、１４ｂとキャップ部材１９ａの嵌合が強固なものとなる（図４参照）。面１５１ａ、１５１ｂ及び面１４１ａ（１４１ｂ）のテーパは、概ね２〜３度あれば、十分な締め付け強さを付与できる。
【００１８】
一対の右鍔部１４ａ、１４ｂの両側面、一対の左鍔部１５ａ、１５ｂの両側面、連結部１２ａ、１２ｂの両側面、連結部１３ａ、１３ｂの両側面及びキャップ部材１９ａの両側面は、それぞれ下方に向かうに従って漸次拡大するテーパ面である。これにより、キャップ部材１９ａ及び棚部材の係合部３にこのテーパ面と対応するテーパ面を形成し、嵌合すれば、両者の嵌合が強固なものとなる。これらのテーパは、概ね２〜３度あれば、十分な締め付け強さを付与できる。なお、ここでの側面とは、左右の鍔部を結ぶ線に沿って見た場合の左右の側面を言う。
【００１９】
カップリング本体部材１ａは、一対の左鍔部１５ａ、１５ｂの基端側でヒンジ接合しているため、カップリング本体部材１１１ａ、１１１ｂはバネ構造となっている。すなわち、外力がかからない自然状態において、カップリング本体部材１ａの接合部とは反対側の右鍔部１４ａ、１４ｂ間の隙間は小さく、略閉じた状態である。これに対して、図２に示すように、カップリング本体部材１１１ａ、１１１ｂを支柱２に嵌合させるには、右鍔部１４ａ、１４ｂをバネの弾圧に抗して手で押し広げてやればよい。また、支柱２に嵌合した後は、外力が取り除かれるため、図１のような、元のカップリング本体部材１ａの形状に戻る（図３参照）。ヒンジ接合としては、上記接合方法に限定されず、例えば軸孔と軸棒の接合による公知の方法をとることもできる。軸孔と軸棒の接合は、非バネ構造であっても、バネ構造であってもよい。
【００２０】
キャップ部材１９ａは、カップリング本体部材１ａが支柱２に嵌合した後、右鍔部１４ａ、１４ｂに対して上方から下方に向けて被せることで装着する。これにより、カップリング本体部材１１１ａ、１１１ｂの支柱２への嵌合を強固なものにする。すなわち、接合側の左鍔部１５ａ、１５ｂに棚部材３１が設置されると、カップリング本体部材１１１ａ、１１１ｂの非接合側が開く方向に力が作用するが、キャップ部材１９ａにより、カップリング本体部材１１１ａ、１１１ｂは開くことがなくなる。
【００２１】
キャップ部材１９ａは底面が全面開口し、前面（スリーブ本体部１１ａ（１１ｂ）側）の一部が開口するケース状物である。すなわち、図７及び図８に示すように、開口１９１ａの幅ｗ１は、一対の右連結部１２ａ、１２ｂの前後方向の幅ｗ３より同じか又は僅かに大であり、キャップ部材１９ａの底面の開口幅ｗ２は一対の右鍔部１４ａ、１４ｂの前後方向の幅ｗ４と同じか、あるいは僅かに大である（図９参照）。また、前面部材１９２ａ及び１９３ａの裏面１９５ａは、右鍔部１４ａ、１４ｂの裏面１４１ａ、１４１ｂのテーパに対応する下方に向けて漸次下り傾斜のテーパ面である。また、キャップ部材１９ａの背面部材の裏面、すなわち、キャップ部材１９ａの内空間１９８を形成する背面１９７は、一対の右鍔部１４ａ、１４ｂの外側面に対応した形状である。このような形状のキャップ部材１９ａを一対の右鍔部１４ａ、１４ｂに被せると、キャップ部材１９ａは連結部１２ａ、１２ｂを跨ぎ、一対の右鍔部１４ａ、１４ｂを隙間なく覆うことになる。また、キャップ部材１９ａ装着後、キャップ部材１９ａのスリーブ本体部１１ａ（１１ｂ）に対向する面１９２ａ、１９３ａは、下方に向かうに従ってスリーブ本体部１１ａ（１１ｂ）との距離が漸次縮小するテーパ面となる。このテーパは、概ね２〜３度あれば、十分な締め付け強さを付与できる。キャップ部材１９ａの表面１９２ａ、１９３ａをこのようなテーパとし、更に、棚部材の係合部３にこのテーパ面と対応するテーパ面を形成し、両者を嵌合すれば、嵌合が強固なものとなる。また、キャップ部材１９ａ装着後、キャップ部材１９ａと一対の左鍔部１５ａ、１５ｂとは、上下方向の高さ、前後幅及び対向する内側の面のテーパが概ね同一寸法となる。
【００２２】
本発明のカップリング部材は、図１８に示すように、一対のカップリング本体部材１Ａは、互いに別部材であって、一対の右鍔部１４ａ、１４ｂ及び一対の左鍔部１５ｃ、１５ｄのそれぞれにキャップ部材１９ａ、１９ｂが嵌合されるものであってもよい。このカップリング部材１Ａにおける一対のカップリング本体部材１１１ａ、１１１ｂは、ヒンジ接合されていないこと、及び図１８中、左側の連結部と一対の鍔部を右側のものと同様の形状にしたこと以外は、図１のカップリング部材１と同じであり、互いに対称形状である。カップリング部材１Ａは、一対のカップリング本体部材１１１ａ、１１１ｂを支柱２に装着した後、一対の左鍔部１５ｃ、１５ｄにキャップ部材１９ｂを、一対の右鍔部１４ａ、１４ｂにキャップ部材１９ａをそれぞれ被せる。
【００２３】
カップリング部材１は、金属、樹脂、ガラス、カーボン又はこれらの複合物から作製されるものである。この中、樹脂製のものは、組み付けの際、金属音などが発生せず、組み付けも容易となる点で好ましい。樹脂としては、ポリアセタール樹脂、ポリアミド樹脂、アクリロニトリル−ブタジエン−スチレン共重合合成樹脂（ＡＢＳ樹脂）、エポキシ樹脂、フェノール樹脂、ポリカーボネート樹脂などエンジニアリングプラスチックが使用できる。これらの合成樹脂は、耐衝撃性、耐摩耗性、耐薬品性に優れる。なお、樹脂には、更にガラス繊維やカーボン繊維等の強化繊維が含まれていてもよい。
【００２４】
次に、本発明の実施の形態における組立棚について説明する。本発明の組立棚は、上記カップリング部材１を備えるものである。本例の組立棚１０は、支柱２と、カップリング部材１と、棚部材３１を備えるものである。一つの棚部材３１を支柱２に固定するには、１つの棚部材３１と、４本の支柱２と、４つのカップリング部材１を必要とする。図１４の上下３段棚の組立棚１０は、３つの棚部材３１ａ、３１ｂ、３１ｃと、４本の支柱２と、１２個のカップリング部材１を必要とする。
【００２５】
また、本例の組立棚１０は、上記カップリング部材１を装着する４本の支柱２と、カップリング部材１の一対の鍔部１５ａ、１５ｂ又はキャップ部材１９ａに嵌合する係合部３が略四隅に形成された棚部材３１と、を備えるものであり、４本の支柱２にカップリング部材１を正面視で連結部１２ａ、１２ｂ（１３ａ、１３ｂ）が略左右方向に延びるように嵌め込み、更に一対の鍔部１５ａ、１５ｂ又はキャップ部材１９ａに係合部３を嵌め込んで棚部材３１を設置してなり、棚部材３１は正面視で２つの支柱２、２の内側間に配置される（図１３、図１４）。略左右方向とは、左右方向に限定されず、若干斜め方向であってもよい意味である。その場合、棚部材３１に形成される係合部３の設置方向を調整すればよい。
【００２６】
支柱２としては、長手方向に規則又は不規則の間隔で環状又は部分環状の係止溝を形成したものが使用できる。支柱２の断面形状としては、特に制限されず、円形断面の他、楕円断面、四角形断面、菱形断面、Ｘ形及びＨ形などが挙げられる。このように支柱が異形の断面形状の場合、カップリング部材１は、その断面形状に対応する内周面形状を採ればよい。部分環状溝には、外周面に対して直線状に切り込んだ、溝中央の溝深さが大で溝端部に向かうにつれて浅くなる溝であってもよい。支柱２の外周面２１に形成されるものは、上記の係止溝又は係止孔に限定されず、突起又は突条であってもよい。この場合、スリーブ本体部１１ａ、１１ｂの内周面には係止孔又は係止溝が形成される。
【００２７】
棚部材３１は、カップリング部材１に係合する係合部３が略四隅に形成されたものである。本例において四隅とは、棚部材３１の短手方向における端部である。四隅をこのような位置とすることで、４本の支柱で形成される面積が大きくとれ、組立棚１０の設置が安定する。棚部材の棚本体部分はボード状又は網目状のいずれでもよい。棚部材３１の形状は、特に制限されないが、平面視で通常、矩形状である。
【００２８】
係合部３は底面が全面開口し、端面（前板）の一部が開口するケース状の雌係合部である。すなわち、図１２に示すように、係合部３の端面の開口３２の幅ｗ５は、一対の連結部１２ａ、１２ｂ（１３ａ、１３ｂ）の前後方向の幅ｗ３より僅かに大であり、係合部３の底面の開口幅ｗ６はキャップ部材１９ａ又は一対の左鍔部１５ａ、１５ｂの前後方向の幅と同じか、あるいは僅かに大である。また、前面部材３１１及び３１２の裏面３１５は、キャップ部材１９ａの表面１９２、１９３のテーパ又は一対の左鍔部１５ａ、１５ｂの表面のテーパに対応する下方に向けて漸次下り傾斜のテーパ面である。前面部材３１１及び３１２の裏面３１５に形成されるテーパは、概ね２〜３度あれば、十分な締め付け強さを付与できる。また、係合部３の内空間３２１を形成する背面３１７は、キャップ部材１９ａの外側面又は一対の鍔部１５ａ、１５ｂの外側面に対応した形状である（図１２（Ｂ））。このような形状の係合部３を一対の左鍔部１５ａ、１５ｂ又はキャップ部材１９ａに被せると、係合部３は一対の連結部１２ａ、１２ｂ（１３ａ、１３ｂ）を跨ぎ、一対の左鍔部１５ａ、１５ｂ又はキャップ部材１９ａを隙間なく覆うことになる。なお、係合部３の内部空間３２１を形成する背面の中央には、カップリング部材１のヒンジ接合部１６の突起の形状に対応した凹状断面の縦溝３１６が形成されている。なお、係合部３がキャップ部材１９ａに嵌合する場合、凹状断面の縦溝３１６に嵌るものはなく、縦溝３１６はデッドスペースとなる。
【００２９】
棚部材３１の略四隅に形成される係合部３は上記の係合部に限定されず、フック状のものであってもよい。フック状の係合部３としては、フック状の係止片が一対の左鍔部１５ａ、１５ｂ又はキャップ部材１９ａの上端部あるいは上端から裏面のテーパ面にかけて係止するものが挙げられる。すなわち、フック状の係止片は一対の左鍔部１５ａ、１５ｂ又はキャップ部材１９ａの全体を覆うものではなく、上端部に係り、外端のテーパ面に当接するものである。
【００３０】
次に、支柱２に３つの棚部材３１を上下３段で固定する方法の一例を図１４を参照して以下に説明する。先ず、支柱２の高さ方向における下方の所定位置に、カップリング部材１を取り付ける。カップリング部材１の支柱２への取付けは、図２に示すように、カップリング本体部材１ａのヒンジ結合とは反対側が広げた状態にして、支柱２を抱き込むように嵌め込み、一対の連結部１２ａ、１２ｂ（１３ａ、１３ｂ）が左右方向に延びるような位置で仮止めする（図３）。この場合、スリーブ本体部１１ａ、１１ｂの裏面に形成される環状の係止突条１７ａ、１７ｂと支柱２の外周面に形成される環状の係止溝２２を一致させる。これにより支柱２の係止溝２２とスリーブ本体部１１ａ、１１ｂの突条１７ａ、１７ｂは係止状態となり、上下方向の移動を規制する。カップリング部材１の取付けは、１つの棚部材３１につき、４本の支柱２について行う。
【００３１】
支柱２に取り付けられたカップリング本体部材１ａは、図３に示すように、ヒンジ接合部１６が正面視でカップリング部材１の図４中の左側（内側）に位置する（図１４参照）。なお、カップリング本体部材１ａの取り付け位置は、図４に対して、１８０度回転させた位置、すなわち、ヒンジ部１６がカップリング部材１の図４中の右側に位置するようにしてもよい。
【００３２】
次に、カップリング本体部材１ａの反ヒンジ結合側の一対の右鍔部１４ａ、１４ｂにキャップ部材１９ａを被せる。この際、キャップ部材１９ａの内空間を形成する形状は、一対の右鍔部１４ａ、１４ｂのスリーブ本体部１１ａ、１１ｂ側のテーパ面１４１ｂと一対の右鍔部１４ａ、１４ｂの反スリーブ本体部１１ａ、１１ｂ側の鉛直面１４２ｂに対応する形状であるため、一対の鍔部１４ａ、１４ｂとキャップ部材１９ａの嵌合は強いものとなる（図４参照）。これにより、カップリング部材１は支柱２に強く固定される。
【００３３】
次に、棚部材３１の係合部３をカップリング部材１の一対の左鍔部１５ａ、１５ｂに対して上方から下方に向けて押し込む（図６）。これにより、係合部３のテーパ３１５は、一対の左鍔部１５ａ、１５ｂのテーパ１５１ａ、１５１ｂに当接する。これにより、一対の左鍔部１５ａ、１５ｂと係合部３は強く係合する。この際、カップリング本体部材１ａの非ヒンジ接合側が開く方向の力が作用するが、非ヒンジ接合側はキャップ部材１９ａでその開きが規制され、カップリング本体部材１ａと支柱２の係合も強く安定したものとなる。なお、棚部材３１の係合部３をカップリング部材１のキャップ部材１９ａに対して嵌合する場合においても、棚部材３１の係合部３をカップリング部材１の一対の左鍔部１５ａ、１５ｂに対して嵌合する方法と同様の嵌合の作用効果を奏する。そして、棚部材３１は正面視で２つの支柱２、２の内側間に配置されることになる（図１４および図１７）。
【００３４】
このように、棚部材３１と支柱２は、非接触であり、棚部材３１は、カップリング部材１が支持している。次に、中間棚部材３１ｂ及び最上段棚部材３１ａを取り付けるが、取り付けの順序は、どちらが先でもよい。すなわち、先に中間棚部材３１ｂを、その後、最上段棚部材３１ａを取り付けても、先に最上段の棚部材３１ａを、その後、中間棚部材３１ｂを取り付けてもよい。従来の組立棚は、中間棚部材３１ｂを最後に取り付けることができなかったが、本発明の組立棚は、中間棚部材３１ｂを最後に取り付けることができ、作業手順が多様になり、取り付け作業が容易になる。中間棚部材３１ｂの取付けは、図１４に示すように、中間棚部材３１ｂを水平状態に保ち、Ｚ１方向へ入れ込み、次いでＺ２方向に下げることでカップリング部材１に係合させることができる。
【００３５】
図１４に示すような組立棚１０を１基（通常は上下多段）とすると、棚部材３１は、正面視で２つの支柱２、２の内側に配置される。すなわち、図１９に示すように、棚部材３１の正面視における１辺の長さ（ｌ２）は、支柱２の内側間の長さ（ｌ１）より小である。すなわち、１つの棚部材３１を正面視で支柱２の内側で支持する。これにより、組立棚１０を連結する際、２つの棚部材３１の端部が接触することがなく、組み付けが容易となる。このように、棚部材３１の両端は、正面視で２つの支柱２、２の内側を超えて、外側に位置することはない。また、図１７に示すように、１つの棚部材３１を、カップリング部材１の片方で支持することにより、組立棚１０の２基を、長手方向に連結した際、１本の支柱２を左右の棚部材３１、３１の固定に際して共有することができる。
【００３６】
棚部材３１を横方向に連結する場合、カップリング部材１の使用されていない他方の鍔部又はキャップ部材に棚部材１の係合部を係合させる。すなわち、組立棚１０Ｂは１本の支柱２の両側にそれぞれ棚部材３１を設けて、２連の組立棚とすることもできる（図１７）。
【００３７】
組立棚１０において、例えば中間棚部材３１ｂを取り除きたい場合、あるいはその設置位置を変更したい場合（中抜き操作）について図１４を参照して説明する。図１４の中間棚部材３１ｂの中抜きは、中間部材３１ｂをそのまま上方に若干持ち上げる。少し持ち上がったところで、中間棚部材３１ｂをそのままの姿勢で手前に引出せば、中間棚部材３１ｂの中抜きが可能となる。なお、その後、カップリング部材１を取り外すか、若しくは位置を変更して取り付け、中間棚部材３１ｂを再設置すれば、中間棚部材３１ｂの設置位置の変更が可能となる。
【００３８】
中間棚部材３１ｂを再設置するには、上記取り除き方法とは逆の操作方法により行なえばよい。このように、組立棚１０は、中抜き操作が容易に行える。また、図１５に示すように、カップリング部材１の高さは棚部材３１の厚みと同じであるため、上下棚部材３１間を狭くすることができる。すなわち、図１５に示すように、中間棚部材３１ｂを中抜きするためには、中間棚部材３１ｂの上方に棚部材１個の厚みに相当する隙間が存在すればよい。
【００３９】
本発明の組立棚は、前記４本の支柱を使用したものに制限されず、例えば１本支柱の組立棚、２本支柱の組立棚、３本支柱の組立棚、５本以上の支柱の組立棚であってもよい。
【００４０】
１本支柱の組立棚は、１本の支柱にカップリング部材を嵌め込み、更にカップリング部材に棚部材の係合部を嵌め込んで棚部材を設置してなる。このような１本支柱の組立棚は、軽量ものの支持であって、デザインの観点からも好適なものである。１本支柱の組立棚において、棚部材における係合部の形成位置は、通常棚部材の長手方向の中央で且つ端部であっても、棚部材の中央であってもよい。
【００４１】
１本支柱の組立棚の一例を図２０及び図２１を参照して説明する。図２０は１本支柱の組立棚の組立前の状態を示す斜視図、図２１は１本支柱の組立棚の斜視図である。１本支柱の組立棚は、棚部材３１ｂの中央に係合部３を形成し、係合部３の開口方向に支柱２が通る挿入路３１２を切り欠いて形成したものである。
【００４２】
２本支柱の組立棚において、棚部材における凹状係合部の形成位置は、特に制限されず、通常棚部材の長手方向又は短手方向の端部若しくは中央あるいは何れの箇所であってもよい。２本支柱の組立棚において、棚部材の長手方向の一方の辺で支持する場合、片持ち支持となり、棚部材の短手方向の両方の辺でそれぞれ１本で支持する場合、両持ち支持となる。
【００４３】
本発明において、一対のカップリング本体部材の支柱への嵌合状態を維持する固定部材としては、上記のキャップ部材１９ａに限定されず、例えば左鍔部材又は右鍔部材のいずれか一方の一対の鍔部材における一方の部材に回動自在に取り付けられた扉部材１９ｃであってもよい。固定部材としての扉部材を設けたカップリング部材を、図２２〜図２５を参照して説明する。図２２〜図２５のカップリング部材１Ｂにおいて、図１のカップリング部材１と異なる点は、右鍔部材１４１ａ、１４１ｂの形状および構造であり、更にキャップ部材１９ａを省略した点にある。
【００４４】
すなわち、右鍔部材１４１ａ（１４１ｂ）は、起立状の縦板１４２ａ（１４２ｂ）の上端から外側で且つ水平方向に延びる上方横板１４３、起立状の縦板１４２ａ（１４２ｂ）の下端から外側で且つ水平方向に延びる下方横板１４４からなる。２つ並びの上方横板１４３と２つ並びの下方横板１４４で形成される空間には扉部材１９ｃが収納される。なお、縦板１４２ａの側方の外側は、切り欠かれて段差１９２を形成している。切り欠き部１９４には、扉部材１９ｃの係り部１９３が収まり、段差１９２を形成する角部と係り部１９３の先端が係合し、扉部材１９ｃを固定する。なお、段差１９２を形成する角部（外角）および係り部１９３の内角はやや鋭角であり、扉部材１９ｃを確実に固定する。また、扉部材１９ｃが付設される上方横板１４３と下方横板１４４には、扉部材１９ｃを水平方向に回動自在に支持する軸が嵌る軸孔１９１が形成されている。
【００４５】
扉部材１９ｃは、板状の本体部１９５と板状の本体部１９５の側端からやや内側に屈曲して延びる断面がフック状の係り部１９３とからなる。板状の本体部１９５の鍔部材１４１ｂへの取り付け側の上下端には、上方横板１４３と下方横板１４４に形成された軸孔１９１に嵌る軸部が形成されている。一対のカップリング本体部材１ａの支柱２への嵌合は、カップリング部材１と同様であり、扉部材１９ｃを外した状態で、鍔部材１４１ａ（１４１ｂ）側を開き、支柱２へ取り付ける。次いで、右鍔部材１４１ａ（１４１ｂ）側を閉じる（図２４及び図２５）。次いで、扉部材１９ｃを閉じる。なお、図２２及び図２３が、支柱２に取り付けた状態図である。このようなカップリング部材１Ｂにおいても、カップリング部材１と同様の作用効果を奏する。
【産業上の利用可能性】
【００４６】
本発明の組立棚は、事務所、家庭、倉庫、店舗、厨房等において、また店舗において、組み付けと解体が容易な陳列棚として使用できる。
【符号の説明】
【００４７】
１、１Ａ、１Ｂ    カップリング部材
１ａ              一対のカップリング本体部材
２                支柱
１０              組立棚
１１ａ、１１ｂ      スリーブ本体部
１２ａ（１２ｂ）、１３ａ（１３ｂ）    連結部
１４ａ、１４ｂ      一対の右鍔部
１５ａ、１５ｂ      一対の左鍔部
１９ａ              キャップ部材（固定部材）
１９ｃ              扉部材（固定部材）
３１                棚部材
１１１ａ、１１１ｂ    カップリング本体部材
【図１】
0005907720.tif 000002
【図２】
0005907720.tif 000003
【図３】
0005907720.tif 000004
【図４】
0005907720.tif 000005
【図５】
0005907720.tif 000006
【図６】
0005907720.tif 000007
【図７】
0005907720.tif 000008
【図８】
0005907720.tif 000009
【図９】
0005907720.tif 000010
【図１０】
0005907720.tif 000011
【図１１】
0005907720.tif 000012
【図１２】
0005907720.tif 000013
【図１３】
0005907720.tif 000014
【図１４】
0005907720.tif 000015
【図１５】
0005907720.tif 000016
【図１６】
0005907720.tif 000017
【図１７】
0005907720.tif 000018
【図１８】
0005907720.tif 000019
【図１９】
0005907720.tif 000020
【図２０】
0005907720.tif 000021
【図２１】
0005907720.tif 000022
【図２２】
0005907720.tif 000023
【図２３】
0005907720.tif 000024
【図２４】
0005907720.tif 000025
【図２５】
0005907720.tif 000026